(57)【要約】【課題】建物の外観を著しく損なうことなく、開口部を遮蔽することができる建物の開口部遮蔽装置を提供する。【解決手段】建物１０は建物本体１１と屋根１３とを備える。建物本体１１の外壁部１４には窓部１７が設けられ、屋根１３の軒部２５には軒天板３１が設けられている。軒天板３１は鼻先化粧板２７と見切り縁３２との間に掛け渡されている。見切り縁３２には軒天板３１の外壁部側端部を支持する外壁側支持部３２ｂが設けられ、同支持部３２ｂは回動可能とされている。鼻先化粧板２７には軒天板３１の軒先側端部を支持する軒先側支持部２７ｂが設けられている。同支持部２７ｂは回動可能とされ、軒天板３１の軒先側端部を支持しかつ支持解除することが可能である。同支持部２７ｂによる軒天板３１の支持が解除されると、軒天板３１は自重により下方に回動され見切り縁３２により吊り下げられる。この場合、軒天板３１により窓部１７が遮蔽される。【選択図】図１
2010285794.tif 000002
【特許請求の範囲】
【請求項１】
建物の外壁部に屋内外を連通する開口部が設けられた建物に適用され、
前記外壁部から屋外側に屋根状に張り出した張出部に設けられ、前記張出部からその下方に移動可能になっている遮蔽部材と、
前記遮蔽部材が前記張出部の下方に移動した状態で、当該遮蔽部材を前記開口部の屋外側に吊り下げ支持する吊下支持手段と、
を備え、
前記遮蔽部材は、前記開口部の屋外側に吊り下げ支持された状態で前記開口部を遮蔽するものであることを特徴とする建物の開口部遮蔽装置。
【請求項２】
前記遮蔽部材は、前記張出部において重ねて配置される複数の板材を有し、前記張出部の下方に移動した状態では前記複数の板材がその板面方向に連なって前記吊下支持手段により吊り下げ支持されることを特徴とする請求項１に記載の建物の開口部遮蔽装置。
【請求項３】
前記張出部は、前記建物の屋根の軒部であり、前記遮蔽部材は、前記軒部の軒天板として設けられていることを特徴とする請求項１又は２に記載の建物の開口部遮蔽装置。
【請求項４】
前記吊下支持手段は、前記軒天板の外壁部側端部を支持する見切り縁であることを特徴とする請求項３に記載の建物の開口部遮蔽装置。
【請求項５】
前記遮蔽部材は、前記張出部の底部において略水平方向に延びるように設けられる底板材であり、
前記吊下支持手段は、前記底板材をその外壁部側端部において回動可能に軸支するものであり、
前記底板材の前記外壁部側端部とは反対側の端部となる回動先端部を支持し、かつその回動先端部の支持を解除可能である回動先端部支持手段を備えることを特徴とする請求項1乃至４のいずれか一項に記載の建物の開口部遮蔽装置。
【請求項６】
前記外壁部には、前記遮蔽部材が前記張出部の下方に移動する際に該遮蔽部材の下端部を上下方向に案内する案内レールが設けられていることを特徴とする請求項1乃至５のいずれか一項に記載の建物の開口部遮蔽装置。
【請求項７】
火災が発生したことを検知する火災検知手段と、
前記火災検知手段により火災が発生したことが検知された場合に、前記遮蔽部材を前記張出部から下方に移動させるように制御する火災検知時制御手段と、
を備えることを特徴とする請求項１乃至６のいずれか一項に記載の建物の開口部遮蔽装置。
【請求項８】
屋外における前記開口部周辺に人が存在することを検知する人検知手段と、
前記人検知手段により前記開口部周辺に人の存在が検知された場合に、前記遮蔽部材を前記張出部から下方に移動させるように制御する人検知時制御手段と、
を備えることを特徴とする請求項１乃至７のいずれか一項に記載の建物の開口部遮蔽装置。
【発明の詳細な説明】
【技術分野】
【０００１】
本発明は、建物の開口部遮蔽装置に関する。
【背景技術】
【０００２】
住宅等の建物では、防犯用として又は防火用として窓部等の開口部の屋外側にシャッタ装置が設けられている場合がある（例えば、特許文献１参照）。この種のシャッタ装置は、開口部を閉鎖するためのシャッタカーテンと、シャッタカーテンを収納するシャッタボックスとを備えており、シャッタボックスが建物の外壁面における開口部の上方に取り付けつけられることにより設置される。
【先行技術文献】
【特許文献】
【０００３】
【特許文献１】実開平５−２４８９７号公報
【発明の概要】
【発明が解決しようとする課題】
【０００４】
しかしながら、従来のシャッタ装置は、フラットに形成された建物の外壁面に対してシャッタボックスが設置されるため、建物周りにおけるすっきりした外観が損なわれるおそれがある。
【０００５】
本発明は、上記事情に鑑みてなされたものであり、建物の外観を著しく損なうことなく、開口部を遮蔽することができる建物の開口部遮蔽装置を提供することを主たる目的とするものである。
【課題を解決するための手段】
【０００６】
上記課題を解決すべく、第１の発明の建物の開口部遮蔽装置は、建物の外壁部に屋内外を連通する開口部が設けられた建物に適用され、前記外壁部から屋外側に屋根状に張り出した張出部に設けられ、前記張出部からその下方に移動可能になっている遮蔽部材と、前記遮蔽部材が前記張出部の下方に移動した状態で、当該遮蔽部材を前記開口部の屋外側に吊り下げ支持する吊下支持手段と、を備え、前記遮蔽部材は、前記開口部の屋外側に吊り下げ支持された状態で前記開口部を遮蔽するものであることを特徴とする。
【０００７】
本発明によれば、建物の外壁部にシャッタ装置が設けられていなくても、張出部に設けられた遮蔽部材により窓部等の開口部を遮蔽することができる。つまり、建物の外観を著しく損なうことなく、防火や防犯等を目的として開口部を遮蔽することができる。また、遮蔽部材が、張出部においてその下面（例えば、軒部の軒裏）よりも下方に突き出ることなく設けられていれば、一層の外観性の向上を実現することができる。
【０００８】
第２の発明の建物の開口部遮蔽装置は、第１の発明において、前記遮蔽部材は、前記張出部において重ねて配置される複数の板材を有し、前記張出部の下方に移動した状態では前記複数の板材がその板面方向に連なって前記吊下支持手段により吊り下げ支持されることを特徴とする。
【０００９】
本発明によれば、遮蔽部材は、張出部における設置状態では複数の板材が重ねて配置されるのに対し、吊下支持手段による吊り下げ状態では複数の板材がその板面方向に沿って連なって吊り下げられる。そのため、遮蔽部材の吊り下げ状態では、その上下方向の全長を大きくすることができる。したがって、例えば張出部の張出方向の長さが開口部の上下寸法に対して小さい場合にも、開口部を遮蔽することができる。
【００１０】
第３の発明の建物の開口部遮蔽装置は、第１又は第２の発明において、前記張出部は、前記建物の屋根の軒部であり、前記遮蔽部材は、前記軒部の軒天板として設けられていることを特徴とする。
【００１１】
本発明によれば、もともと軒部に設けられている軒天板を遮蔽部材に兼用する構成であるため、建物の外観が損なわれるのを回避しつつ開口部を遮蔽することができる。また、軒天板は軒部の下面に設けられているため、軒天板を軒部から下方に移動させて開口部を遮蔽する状態に移行させやすいという利点もある。
【００１２】
さらに、軒天板は所定の防火性能を有する必要があるため、軒天板を例えば不燃材により形成することが考えられる。この場合、火災時に軒天板により開口部を遮蔽することで延焼を抑制する効果が期待できる。
【００１３】
第４の発明の建物の開口部遮蔽装置は、第３の発明において、前記吊下支持手段は、前記軒天板の外壁部側端部を支持する見切り縁であることを特徴とする。
【００１４】
本発明によれば、軒天板の外壁部側端部に設けられている見切り縁により軒天板を吊り下げ支持する構成であるため、軒天板を外壁部に沿った状態で吊り下げ支持することができる。これにより、外壁部に設けられた開口部を好適に遮蔽することができる。
【００１５】
第５の発明の建物の開口部遮蔽装置は、第１乃至第４のいずれかの発明において、前記遮蔽部材は、前記張出部の底部において略水平方向に延びるように設けられる底板材であり、前記吊下支持手段は、前記底板材をその外壁部側端部において回動可能に軸支するものであり、前記底板材の前記外壁部側端部とは反対側の端部となる回動先端部を支持し、かつその回動先端部の支持を解除可能である回動先端部支持手段を備えることを特徴とする。
【００１６】
本発明によれば、底板材が外壁側端部において回動可能に軸支されているため、底板材の回動先端部の支持が回動先端部支持手段により解除されると、底板材は自重により下方に回動し吊下支持手段による吊り下げ支持状態へと自ずと移行する。これにより、底板材により開口部を円滑に遮蔽することができるため、利便性を高めることができる。
【００１７】
第６の発明の建物の開口部遮蔽装置は、第１乃至第５のいずれかの発明において、前記外壁部には、前記遮蔽部材が前記張出部の下方に移動する際に該遮蔽部材の下端部を上下方向に案内する案内レールが設けられていることを特徴とする。
【００１８】
本発明によれば、遮蔽部材の下端部を案内レールに沿って下方に移動させることにより、遮蔽部材を吊下支持手段による吊り下げ支持状態に移行させることができる。これにより、遮蔽部材を吊り下げ状態となる位置へ導くのを容易とすることができる。
【００１９】
第７の発明の建物の開口部遮蔽装置は、第１乃至第６のいずれかの発明において、火災が発生したことを検知する火災検知手段と、前記火災検知手段により火災が発生したことが検知された場合に、前記遮蔽部材を前記張出部から下方に移動させるように制御する火災検知時制御手段と、を備えることを特徴とする。
【００２０】
本発明によれば、火災が発生した場合には遮蔽部材により開口部が自動で遮蔽される。そのため、居住者が外出等して不在である場合に火災が発生しても建物への延焼を抑制することが期待できる。
【００２１】
第８の発明の建物の開口部遮蔽装置は、第１乃至第７のいずれかの発明において、屋外における前記開口部周辺に人が存在することを検知する人検知手段と、前記人検知手段により前記開口部周辺に人の存在が検知された場合に、前記遮蔽部材を前記張出部から下方に移動させるように制御する人検知時制御手段と、を備えることを特徴とする。
【００２２】
本発明によれば、屋外における開口部周辺に不審者が現れた場合には、遮蔽部材により開口部が自動で遮蔽されるため、一定の防犯性を確保することができる。
【図面の簡単な説明】
【００２３】
【図１】建物の一部を示す側面図。
【図２】建物全体を示す正面図。
【図３】軒天板の動作を説明するための動作説明図。
【図４】別例における軒天板の構成を示す模式図。
【図５】別例における軒天板の構成を示す模式図。
【図６】別例における遮蔽部材の構成を示す模式図。
【発明を実施するための形態】
【００２４】
以下に、本発明を具体化した一実施の形態について図面を参照しつつ説明する。なお、図１は建物の一部を示す側面図であり、図２は建物全体を示す正面図である。
【００２５】
図１に示すように、建物１０は、複数の柱（図示略）や梁材１２等よりなる建物本体１１と、建物本体１１の上方に形成された屋根１３とを備えて構築されており、本実施形態では、建物１０として平屋建ての建物を想定している。建物本体１１の外周部には、外壁部１４が設けられている。外壁部１４は、複数の外壁パネル１５よりなり、外壁パネル１５は、固定金具により柱や梁材１２等に固定されている。例えば、外壁パネル１５の上端部がＬ字型の固定金具１６により天井大梁である梁材１２に固定されている。外壁部１４には、開口部としての窓部１７が設けられている。窓部１７には、その内周に沿ってサッシ枠１８が配設され、サッシ枠１８には窓部１７を開閉するガラス戸１９が設けられている。
【００２６】
屋根１３において、垂木２１の上方には屋根下地材としての野地板２２が設けられ、野地板２２の上には瓦２３が葺設されている。屋根１３には、外壁部１４から屋外側へ張り出すようにして軒部２５が設けられている。軒部２５において、垂木２１の先端部には木材よりなる鼻先木２６が固定されており、鼻先木２６の外側面には、その鼻先木２６を覆うようにして、金属板又は樹脂板よりなる鼻先化粧板２７がビス等により取り付けられている。
【００２７】
軒部２５の下面（つまり軒裏）には軒天板３１が設けられている。軒天板３１は、所定の耐火性能を有する不燃材よりなり、外壁部１４と鼻先木２６との間に架け渡されて設けられている。軒天板３１の設置について詳しくは、外壁部１４の外壁面には、軒天板３１の外壁側端部を支持するための見切り縁３２が取り付けられている。見切り縁３２は、ビス等により外壁面に固定される固定部３２ａと、その固定部３２ａの下方において外壁面から所定寸法だけ離間して設けられ、軒天板３１の外壁側端部が挿し入れられる凹溝状の外壁側支持部３２ｂとを有している。また、上述した鼻先化粧板２７は、鼻先木２６を覆うことに加えて軒天板３１の軒先側端部を支持する役目を有しており、鉛直方向に延びる鼻隠し部２７ａの下端部には、軒天板３１を載せた状態で同軒天板３１を支持する軒先側支持部２７ｂが設けられている。なお、見切り縁３２及び鼻先化粧板２７は、軒天板３１を下方に回動動作させて下方に移動させる機能を有し、見切り縁３２は吊下支持手段に相当し、鼻先化粧板２７は軒先側支持手段に相当する。但し、その詳細は後述する。
【００２８】
ところで、建物の外壁部には窓等の開口部を屋外側から遮蔽するためのシャッタ装置が設けられることも多いが、本実施形態の建物１０では、外壁部１４にシャッタ装置を設けず、これにより外観性の向上を図っている。ただしこの場合、防火や防犯等を目的として窓部１７を遮蔽したくてもそれが実施できないことが懸念される。そこで本実施形態では、軒部２５に設けられた軒天板３１を、窓部１７を遮蔽する遮蔽装置（開口部遮蔽装置）として利用する。そしてこれにより、外壁部にシャッタ装置が設けられていない構成であっても、必要に応じて窓部１７を遮蔽できるようにしている。
【００２９】
以下、軒天板３１を、窓部１７を遮蔽する遮蔽装置として利用するための構成について説明する。
【００３０】
軒天板３１は、外壁側端部を回動基端部、軒先側端部を回動先端部として回動可能となっており、見切り縁３２には、外壁側支持部３２ｂ又は同支持部３２ｂの一部を回動可能にする回動軸部３２ｃが設けられている。本実施形態では、回動軸部３２ｃは、外壁側支持部３２ｂの一部、具体的には軒天板３１を下方から支える底板部分を回動可能にするものであり、外壁側支持部３２ｂの底板部分にはビス等により軒天板３１が固定されている。
【００３１】
また、鼻先化粧板２７には、鼻隠し部２７ａと軒先側支持部２７ｂとの連結部分に回動軸部２７ｃが設けられており、この回動軸部２７ｃにより、鼻隠し部２７ａに対して軒先側支持部２７ｂが回動可能になっている。
【００３２】
上記構成において、鼻先化粧板２７の軒先側支持部２７ｂが回動軸部２７ｃを軸心として回動すると、軒天板３１の下方から軒先側支持部２７ｂが移動し、軒先側支持部２７ｂによる軒天板３１の支持が解除される。これにより、軒天板３１は、自重により見切り縁３２の回動軸部３２ｃを軸心として回動し、軒部２５よりも下方の軒下部分に移動する。つまり、軒天板３１は、外壁側端部を上端として吊り下げられた状態に移行し、外壁面に対向する状態となる。
【００３３】
鼻先化粧板２７の軒先側支持部２７ｂは、通常は軒天板３１を載置支持する状態で保持され、軒天板３１を回動動作させる場合にのみ、支持解除状態に移行するものとなっている。具体的には、手動又は電動による支持解除が可能になっており、電動による支持解除の構成として、例えば鼻先木２６の内側には、軒先側支持部２７ｂを回動駆動させるためのモータ等からなる駆動装置３４が設けられている（図１では便宜上、軒先側支持部２７ｂと駆動装置３４とを接続する電気配線を省略している）。
【００３４】
見切り縁３２の回動軸部３２ｃには、軒天板３１の回動速度を遅くするための油圧式等の減速機構が設けられているとよい。これにより、軒天板３１が回動動作する際の衝撃が緩和される。
【００３５】
ここで、軒天板３１において外壁側端部から軒先側端部までの長さ（以下、軒天長さＬ１という）は、軒部２５の軒長に応じて定められており、本実施形態では軒天長さＬ１を７００ｍｍ程度としている。これに対し、窓部１７の上下寸法Ｈ１は軒天長さＬ１よりも長く、本実施形態ではＨ１を１０００ｍｍ程度としている。さらに外壁部１４には、見切り縁３２から窓部１７の上端部までの部分があり、その窓上壁部の上下寸法Ｈ２を、本実施形態では３００ｍｍ程度としている。つまり、本実施形態では、外壁部１４において見切り縁３２から窓部１７の下端部までの上下寸法（Ｈ１＋Ｈ２）が１３００ｍｍ程度となっている。
【００３６】
かかる場合、軒天板３１の大きさ（軒天長さＬ１）からすれば、軒天板３１を用いて窓部１７を遮蔽する場合に、１枚の軒天板３１を回動させるだけでは窓部１７を全て遮蔽することは不可能である。そこで本実施形態では、軒天板３１として２枚重ねの状態で設けられる板材３１Ａ，３１Ｂを用い、軒天板３１が鉛直方向に吊り下げられた状態で２枚の板材３１Ａ，３１Ｂを上下に連なった状態にすることで、窓部１７を完全に遮蔽できるようにしている。
【００３７】
２枚の板材３１Ａ，３１Ｂのうち、下側となる板材３１Ａは、見切り縁３２の外壁側支持部３２ｂ（底板部分）に固定されている。また、上側となる板材３１Ｂは、外壁側支持部３２ｂには固定されておらず、かつ板材３１Ａに対してスライド可能になっている。
【００３８】
２枚の板材３１Ａ，３１Ｂにおけるスライド機構として、下側（見切り縁３２に対する固定側）の板材３１Ａには、板材３１Ｂをスライドさせるためのレール３６が設けられている。レール３６は、板材３１Ｂのスライド方向（すなわち、鉛直方向回動時に上下になる方向）に延びる向きで、例えば板材３１Ａの両端部にそれぞれ設けられている。レール３６は、板材３１Ａに対して板材３１Ｂが離れることがなく、かつ軒天板３１が鉛直方向に回動した場合において板材３１Ａの下端部と板材３１Ｂの上端部が連結された状態で保持されるものとなっている。これにより、軒天板３１が鉛直方向に吊り下げられた状態では、その上下方向の長さが約１３５０ｍｍになるようになっている。
【００３９】
なお、両板材３１Ａ，３１Ｂのスライド機構は、上記構成以外であってもよく、例えば互いの対向面にスライド方向に延びる係合部（係合溝及び係合突起）を設けた構成を採用することも可能である。
【００４０】
また、外壁部１４の屋外側には、軒天板３１が鉛直方向に回動した場合において外壁部１４に対する衝撃力を緩和する緩衝材３７が設けられている。緩衝材３７は、例えばゴム材等からなり、サッシ枠１８の屋外側面に取り付けられている。緩衝材３７は、外壁パネル１５の屋外側面よりも屋外側に突出するように設けられている。
【００４１】
図２（ａ）に示すように、屋根１３において可動式の軒天板３１は窓部１７に対応する部分にのみ設けられ、窓部１７の上方以外の軒部には固定式の軒天板３８が設けられている。この場合、可動式の軒天板３１は窓部１７の上方に設けられ、その横幅は窓部１７の横幅に合わせて定められている。
【００４２】
図３は、軒天板３１の動作を説明するための動作説明図である。図３（ａ）は、軒天板３１を軒部２５に設置した状態を示しており、これは図１と同じ状態である。この状態から、鼻先化粧板２７の軒先側支持部２７ｂが回動して軒先側支持部２７ｂによる軒天板３１の支持が解除されると、軒天板３１は、自重により見切り縁３２の回動軸部３２ｃを軸心として回動する。そして、図３（ｂ）に示すように、軒天板３１が、外壁部側端部を上端として吊り下げられた状態に移行し、さらに板材３１Ａに対して板材３１Ｂがスライドすることにより軒天板３１の上下方向の長さが延長される。これにより、窓部１７の屋外側が軒天板３１（２枚の板材３１Ａ，３１Ｂ）により遮蔽される。建物１０を正面から見ると、図２（ｂ）に示すように、軒天板３１により窓部１７が完全に遮蔽されることとなる。
【００４３】
また、本実施形態では、屋外における人の有無や火災の発生をセンサ等により検知し、その検知結果に基づいて軒天板３１を自動で窓部遮蔽状態に移行させるようにしており、その制御システムについて以下に説明する。
【００４４】
図１に示すように、建物１０には、人検知手段としての人検知センサ４１と、火災検知手段としての火災検知センサ４２とが設けられている。人検知センサ４１は、屋外における窓部１７周辺に人が存在することを検知するセンサであり、例えば鼻先化粧板２７の外側面に設けられている。火災検知センサ４２は、例えば火災による発生熱を検知する熱検知センサであり、建物１０周辺の温度が所定の温度（例えば、１０００℃）まで上昇したことを検知する。火災検知センサ４２は、例えば外壁部１４の屋外側面に設けられている。なお、火災検知センサとして、煙を検知する煙検知センサ等その他のセンサを用いてもよい。
【００４５】
また、建物１０には、制御手段としてのコントローラ４３が設けられている。コントローラ４３は、ＣＰＵ等を有する周知のマイクロコンピュータを主体に構成されており、例えば建物１０内においてリビングの壁面等に設けられている。コントローラ４３の入力側には、人検知センサ４１及び火災検知センサ４２が接続されている。これら各センサ４１，４２の検知結果はコントローラ４３に逐次入力される。コントローラ４３の出力側には、鼻先化粧板２７の軒先側支持部２７ｂを回動駆動させるための駆動装置３４が接続されている。
【００４６】
コントローラ４３は、人検知センサ４１の検知結果に基づいて軒天板３１を動作させる第１制御部４５と、火災検知センサ４２の検知結果に基づいて軒天板３１を動作させる第２制御部４６とを有しており、メモリに記憶されているプログラムを起動させることによりこれら各制御部４５，４６による制御を実施する。
【００４７】
人検知結果に基づく第１制御部４５による制御の概略を説明する。コントローラ４３は、人検知センサ４１からの検知結果を入力し、その検知結果に基づいて窓部１７周辺における人の有無を判定する。そして、人有りと判定されると、コントローラ４３は、駆動装置３４に駆動信号を出力し、鼻先化粧板２７の軒先側支持部２７ｂを回動させて軒先側支持部２７ｂによる軒天板３１の支持を解除する。この場合、軒天板３１の支持解除の条件として、人検知結果以外に、軒天板３１による遮蔽実行モード（ユーザにより設定される実行許可モード）になっていること、住人の留守中であること、夜間時間帯であること等のいずれかが含まれていてもよい。軒天板３１の支持解除により、上記のとおり軒天板３１により窓部１７が遮蔽されることとなる。
【００４８】
火災検知結果に基づく第２制御部４６による制御の概略を説明する。コントローラ４３は、火災検知センサ４２からの検知結果を入力し、その検知結果に基づいて火災発生の有無を判定する。そして、火災発生時であると判定されると、コントローラ４３は、駆動装置３４に駆動信号を出力し、鼻先化粧板２７の軒先側支持部２７ｂを回動させて軒先側支持部２７ｂによる軒天板３１の支持を解除する。これにより、上記のとおり軒天板３１により窓部１７が遮蔽されることとなる。
【００４９】
以上、詳述した本実施形態の構成によれば、以下の優れた効果が得られる。
【００５０】
屋根１３の軒部２５から下方に移動可能となっている軒天板３１と、軒天板３１が軒部２５の下方に移動した状態で、軒天板３１を窓部１７の屋外側に吊り下げ支持する見切り縁３２とを備え、軒天板３１が窓部１７の屋外側に吊り下げ支持された状態で窓部１７を遮蔽するようにした。この場合、建物の外壁部１４にシャッタ装置が設けられていなくても、軒部２５に設けられた軒天板３１により窓部１７を遮蔽することができるため、建物１０の外観を著しく損なうことなく窓部１７を遮蔽することができる。また、軒天板３１は、軒部２５においてその下面（例えば、軒部２５の軒裏）よりも下方に突き出ることなく設けられているため、その点においても外観性の向上を図ることができる。
【００５１】
もともと軒部２５に設けられている軒天板３１を、窓部１７の遮蔽部材として兼用する構成としたため、建物１０の外観をほぼ保ったまま窓部１７を遮蔽することができる。また、軒天板３１は軒部２５の下面に設けられているものであるため、軒天板３１を軒部２５から下方に移動させて窓部１７を遮蔽する状態に移行させやすいという利点もある。
【００５２】
軒天板３１は不燃材により形成されているため、火災時に軒天板３１により窓部１７を遮蔽すれば延焼を抑制する効果が期待できる。
【００５３】
軒天板３１の外壁部側端部に設けられている見切り縁３２により軒天板３１を吊り下げ支持する構成とした。この場合、軒天板３１を外壁部１４に沿った状態で吊り下げることができるため、外壁部１４に設けられた窓部１７を好適に遮蔽することができる。
【００５４】
軒天板３１の外壁部側端部を見切り縁３２の支持部３２ｂにより回動可能に軸支するとともに、軒天板３１の軒先側端部を支持し、かつその軒先側端部の支持を解除可能とする軒先側支持部２７ｂを鼻先化粧板２７に設けた。この場合、鼻先化粧板２７の軒先側支持部２７ｂによる軒天板３１の軒先側端部の支持が解除されると、軒天板３１が自重により下方に回動し、見切り縁３２による吊り下げ状態へと自ずと移行する。これにより、軒天板３１により窓部１７を円滑に遮蔽することができるため、利便性を高めることができる。
【００５５】
火災検知センサ４２により火災の発生が検知された場合には、鼻先化粧板２７の軒先側支持部２７ｂを駆動装置３４により下方に回動させ、同支持部２７ｂによる軒天板３１の支持を解除するようにした。これにより、火災が発生した場合には、軒天板３１により窓部１７が自動で遮蔽されるため、居住者が外出等して不在である場合に火災が発生しても建物１０への延焼を抑制することができる。
【００５６】
屋外における窓部１７周辺に人が存在することが人検知センサ４１により検知された場合には、鼻先化粧板２７の軒先側支持部２７ｂを駆動装置３４により下方に回動させ、同支持部２７ｂによる軒天板３１の支持を解除するようにした。これにより、屋外における窓部１７周辺に不審者が現れた場合には、軒天板３１により窓部１７が自動で遮蔽されるため、一定の防犯性を確保することができる。
【００５７】
本発明は上記実施形態に限らず、例えば次のように実施されてもよい。
【００５８】
（１）上記実施形態では、軒天板３１において一方の板材３１Ａに対して他方の板材３１Ｂをスライドさせることで、軒天板３１の吊り下げ状態時の全長を長くする構成としたが、これを変更し、折り畳んで設けられる複数の板材を広げることで軒天板の吊り下げ状態時の全長を長くする構成としてもよい。その概要を図４の模式図を用い、図１の構成との相違点を中心に説明する。
【００５９】
図４において、軒天板５１は、２枚重ねの板材５１Ａ，５１Ｂからなり、これら両板材５１Ａ，５１Ｂは各々の端部同士がヒンジ５２により回動可能に連結されている。つまり、板材５１Ａ，５１Ｂはヒンジ５２を折り返し点として折り畳まれている。板材５１Ａにおいてヒンジ５２とは逆側の端部にはヒンジ５３（上述した見切り縁３２の回動軸部３２ｃに同じ）が設けられており、板材５１Ａは外壁側端部を固定端としてヒンジ５３により回動可能になっている。また、板材５１Ｂにおいてヒンジ５２とは逆側の端部には、外壁面に沿って上下移動可能なローラ等の可動部５４が設けられている。具体的には、外壁部１４の屋外面には上下方向に延びるレール５６が設けられ、このレール５６に上記可動部５４が配設されることで、可動部５４が同レール５６に沿って上下移動可能となっている。
【００６０】
図４（ａ）の状態では、軒天板５１は、２枚の板材５１Ａ，５１Ｂが重なり合った状態、すなわち折り畳まれた状態となっている。そして、軒先側の軒天板５１の支持（鼻先化粧板２７の軒先側支持部２７ｂによる支持）が解除されると、図４（ｂ）に示すように、軒天板５１は、自重によりヒンジ５３を支点として下方に回動するとともに、板材５１Ａ，５１Ｂが広げられる。そして、図４（ｃ）に示すように、軒天板５１が、外壁側端部を上端として吊り下げられた状態に移行する。このとき、板材５１Ａ，５１Ｂが広げられることにより、軒天板５１の上下方向の長さが延長され、軒天板５１により窓部１７が遮蔽される。また、軒天板５１の下端部がレール５６に沿って上下方向に案内されるため、回動式の構成（図１参照）とは異なり、外壁部１４に緩衝部材を設けなくても軒天板５１が外壁部１４に衝突することを抑制できる利点もある。
【００６１】
（２）軒天板の軒先側端部及び外壁側端部の両方を移動可能とし、そのうち軒先側端部を軒裏に沿って屋内外方向に移動させるとともに、外壁側端部を外壁面に沿って上下方向に移動させる構成としてもよい。
【００６２】
図５の模式図で説明すると、軒天板６１は１枚の板材からなり、軒天板６１の軒先側端部及び外壁側端部にはそれぞれ可動部６２，６３が設けられている。これら可動部６２，６３は、ローラ等の回転体よりなり、軒裏及び外壁部に設けられたレール６５，６６に沿って移動可能となっている。また、可動部６２，６３のうち少なくとも一方には、その可動部６２，６３を移動させるためのモータ等の駆動装置（図示略）が設けられている。
【００６３】
図５（ａ）の状態では、軒天板６１は軒裏で水平に配置されている。そして、軒先側の軒天板６１の支持（鼻先化粧板２７の軒先側支持部２７ｂによる支持）が解除され、かつ駆動装置による駆動が開始されると、図５（ｂ）に示すように、軒天板６１が斜めになり、さらに、図５（ｃ）に示すように、軒天板６１が鉛直方向に延びる状態となり、軒天板６１により窓部１７が遮蔽される。図５の構成では、軒天板６１の下端部が外壁面に沿って上下方向に案内されるため、回動式の構成（図１参照）とは異なり、外壁部１４に緩衝部材を設けなくても軒天板６１が外壁部１４に衝突することを抑制できる。
【００６４】
（３）窓部１７を遮蔽する遮蔽部材としては、軒部２５に配設される板材であれば広く適用可能であり、軒天板を用いた構成以外の具体化が可能である。これを図６の模式図を用いて説明する。
【００６５】
図６に示すように、軒部２５には固定式の軒天板７１が設けられ、その軒天板７１よりも上方に形成された空間（軒裏空間）には、複数（図では３枚）の板材７２が縦向きに（鉛直方向に延びる向きに）各々重ねられた状態で設けられている。これら複数の板材７２は、重なり合ったもの同士で一方に対して他方がスライド可能になっている。そのスライド機構としては、上下方向に沿って延びるスライド用のレール（図示略）が設けられる構成が考えられる。レールは、重なり合った板材同士が離れることがなく、かつ軒下での吊り下げ状態でも互いに連結された状態で保持されるものとなっている。また、外壁部１４の軒下部分には、複数の板材７２（詳細には外壁部１４側に配置された板材７２）を案内する案内レール（図示略）が上下方向に延設されている。
【００６６】
軒天板７１において外壁側端部には、軒裏空間と軒下空間とを連通するための連通口７３が設けられており、この連通口７３を通じて複数の板材７２が軒下側に移動できるようになっている。軒天板７１には、連通口７３を開閉するための扉体７４が設けられており、扉体７４は、モータ等の駆動装置（図示略）により電気的に開閉駆動されるようになっている。
【００６７】
図６（ａ）の状態では、扉体７４が閉じられ、複数の板材７２は軒裏空間に収容された状態になっている。そして、扉体７４が開放されると、図６（ｂ）に示すように、複数の板材７２が自重によりレールに沿って下方に移動し、さらに、図６（ｃ）に示すように、複数の板材７２が上下方向に連なった状態で吊り下げられる。これにより、複数の板材７２により窓部１７が遮蔽される。なお、板材７２の吊り下げ状態では、複数の板材７２のうち最も上の板材７２の上端部に設けられた吊下支持部７５が軒天板上に支持されることにより複数の板材７２が吊り下げられるようになっている。
【００６８】
（４）上記実施形態では、遮蔽部材としての軒天板３１を張出部としての屋根１３の軒部２５に設ける構成としたが、これを変更して、遮蔽部材をバルコニーや庇等その他の張出部に設ける構成としてもよい。なおここで、張出部とは、建物において外壁部から屋外側に屋根状に張り出した部分をいう。例えば、窓部１７の上方に外壁部１４から屋外側に張り出すようにバルコニーが設けられている建物では、バルコニー床部を構成するバルコニー底板（底板材に相当）を遮蔽部材として用いることが考えられる。この場合、バルコニー底板を必要に応じてバルコニーの下方に移動し吊り下げ部材により窓部の屋外側に吊り下げ支持する構成とすれば、建物の外観を著しく損なうことなく、窓部を遮蔽することができる。
【００６９】
（５）上記実施形態では、可動式の軒天板３１が見切り縁３２による吊り下げ支持状態に移行した場合、軒天板３１の設置されていた部分が開口部になるため、火災が発生した場合には、その開口部を通じての延焼が懸念される。そこで、その点に鑑みて、可動式の軒天板３１の上方に別途固定式の軒天板を設置し、軒天板３１が見切り縁３２による吊り下げ支持状態に移行した場合でも、固定式の軒天板により上記開口部が遮蔽される構成としてもよい。この場合、火災発生時に上記開口部を通じての延焼を抑制することができる。
【００７０】
（６）上記実施形態では、平屋建ての建物に軒天板３１を設ける構成としたが、軒天板を複数階建ての建物に設けてもよい。例えば、一階部分と二階部分とからなる建物本体と、その建物本体の上方に形成された屋根とを備える二階建て建物において、一階部分の窓部を遮蔽する軒天板を屋根に設けることが考えられる。この場合においても、見切り縁から窓部の下端部までの上下寸法に応じて軒天板を構成する板材の枚数を増やせば、見切り縁による吊り下げ支持状態における軒天板の上下寸法を大きくすることができるため、軒天板により窓部を遮蔽することが可能となる。
【００７１】
（７）上記実施形態では、軒天板３１を２枚の板材３１Ａ，３１Ｂを用いて伸縮可能に構成したが、これを変更して、軒天板３１を１枚の板材により伸縮不能に構成してもよい。但し、一般に建物１０では見切り縁３２から窓部１７の下端部までの上下寸法（図１のＨ１＋Ｈ２）が軒天板における軒天長さ（図のＬ１）よりも大きいため、軒天板を伸縮不能な構成とすると窓部１７を軒天板により遮蔽するのが困難となることが想定される。したがって、その点を考慮すると、上記実施形態のように軒天板３１を伸縮可能に構成するのが望ましい。
【００７２】
（８）上記実施形態では、吊下支持手段として見切り縁３２を、軒先側支持手段として鼻先化粧板２７を用いる構成としたが、必ずしも吊下支持手段及び軒先側支持手段として上記部材２７，３２を用いる必要はなく、その他の部材を用いてもよい。例えば、一般に軒天板の外壁部側端部を支持するために用いられる支持金具を吊下支持手段として採用してもよい。支持金具は、軒天板の外壁部側端部が挿入される凹溝を有しており、外壁部の屋外面に軒部が延びる方向に沿って複数取り付けられる。ここで、支持金具において凹溝を形成する３つの板部のうち下側の水平板部に軒天板の外壁部側端部を固定し、かつ、水平板部を回動可能に構成すれば、上記実施形態と同様、軒天板を下方に回動させて支持金具により吊り下げ支持することができる。つまり、支持金具を吊下支持手段として用いることができる。
【００７３】
（９）上記実施形態では、人検知センサ４１又は火災検知センサ４２の検知結果に基づいて、駆動装置３４により鼻先化粧板２７の軒先側支持部２７ｂを回動させ、軒先側支持部２７による軒天板３１の支持を解除するようにしたが、これを変更して、建物１０にユーザにより操作される操作部を設け、その操作部に対する操作に基づいて、軒先側支持部２７による軒天板３１の支持を解除するようにしてもよい。この場合、ユーザの必要に応じて軒天板３１により窓部１７を遮蔽することができる。
【００７４】
（１０）上記実施形態では、軒部２５において遮蔽部材としての軒天板３１を窓部１７に対応する部分にのみ設け、その他の部分には固定式の軒天板３８を設ける構成としたが、これを変更して、遮蔽部材としての軒天板を軒部２５の長手方向全域に延びるように設ける構成としてもよい。例えば、外壁部１４（の一面側）に窓部１７が複数設けられている建物においては、かかる構成とすることで一枚の軒天板により複数の窓部１７を遮蔽することができるため都合がよい。
【００７５】
（１１）見切り縁３２の外壁側支持部３２ｂを回動駆動するための駆動装置（例えば電動モータ等）を例えば外壁部１４の屋外面等に設けてもよい。この場合、軒天板３１の回動を駆動装置により制御することができるため、軒天板３１が自重により回動する上記実施形態の場合とは異なり、外壁部１４に緩衝材３７を設けなくても軒天板３１が外壁部１４に衝突するのを抑制することができる。また、軒天板３１により窓部１７を遮蔽した場合には、駆動装置を用いて軒天板３１を軒裏に戻すことができるため、利便性の向上を図ることができるという利点もある。
【００７６】
（１２）上記実施形態では、遮蔽部材としての軒天板３１を防火及び防犯目的に用いる構成としたが、これを変更して、軒天板３１を防火目的及び防犯目的のうちいずれかを目的として用いる構成としてもよい。例えば、遮蔽部材を防犯目的としてのみ使用する場合には、遮蔽部材を上記実施形態のように必ずしも不燃材により形成する必要はなく、その他の材料により形成してもよい。また、この場合、遮蔽部材を板状部材により形成する必要もなく、格子状のパネル等その他の部材により形成してもよい。
【００７７】
（１３）軒天板３１に消化剤（例えば水分等）を含ませてもよい。この場合、軒天板３１の耐火性能を向上させることができるため、延焼の抑止効果を高めることができる。
【符号の説明】
【００７８】
１０…建物、１３…屋根、１４…外壁部、１７…開口部としての窓部、２５…張出部としての軒部、２７…回動先端部支持手段としての鼻先化粧板、３１…遮蔽部材及び底板材としての軒天板、３１Ａ，３１Ｂ…板材、３２…吊下支持手段としての見切り縁、４１…人検知手段としての人検知センサ、４２…火災検知手段としての火災検知センサ、４５…人検知時制御手段としての第１制御部、４６…火災検知時制御手段としての第２制御部、５６…案内レールとしてのレール、６６…案内レールとしてのレール。
【図１】
2010285794.tif 000003
【図２】
2010285794.tif 000004
【図３】
2010285794.tif 000005
【図４】
2010285794.tif 000006
【図５】
2010285794.tif 000007
【図６】
2010285794.tif 000008